(57)【要約】      （修正有）【課題】自然界に存在する空気の特性を利用し、電気エネルギーを取り出し、自然界に変化を与えない発電機を提供する【解決手段】気体の電子方向を永久磁石１で揃え、それを両端で磁場の角度を変え＋（プラス）電極５に向かう様にする。気体の流れにより永久磁石に束縛され磁気を帯びた気体が磁束から解放された時に、磁気を帯びた気体のＳ極とＮ極が結合しようとして乱れ、気体中の電子が活発に動き電気が作られ、気体のＳ極とＮ極で構成された電気の通路を通り＋電極に吸収され残された気体は、気体通路で排出される。その時の−（マイナス）電極１１は気体電気通路が出来始める地点に気体通過の妨げにならない様に配置する。これらが達成できる様に構造体を形成し気体を外部より取り入れる事により発電出来る。【選択図】図２
2016082857.tif 000002
【特許請求の範囲】
【請求項１】
請求項１に記載の発明は、一方に永久磁石のＳ極とＮ極を対面させ磁束を作り、風の流れで気体を通過し磁気を帯びさせ、気体中の電子方向を揃え、空気の流れで間隔空き永久磁石の影響が及ぼさない地点で帯磁した気体中の電子が異極方向で結び付き電気が発生し、同時に電気の通り道が出来る。
電気の通り道の出来始めに負極を設置し、気体が風圧により流れる方向の先に正極を設置。
気体中の電気を吸収する様に正極を配置し、半導体を通し負極を配置し電気エネルギーを抽出する。
また上記の電子摩擦により電気を取り入れる事と、負極を装置の内外全ての場所に設置する事を含み、磁気を帯びた気体の指向性を利用するために鉄など磁気反応物質を装置内外に配置する事も含む。
つまり風などの気流を取り入れ、気体の電子を磁石により変化させ電気を抽出させることを特徴とする大気力発電機。
【請求項２】
請求項２に記載の発明は、永久磁石の極面に凹凸などを付け表面積を増やし同極間に並行する空間を作る又は、銅やアルミニウムなど磁気抵抗が低い素材で凹部分を埋めるなどして、磁束の特性により反対方向に向かう磁束的空間をつくり磁石の磁極と反対の極性を持たせ磁束の終始点として極性を相殺し、磁束が浮遊する範囲を狭め外部に対しての磁力の影響力を最小限にすることができる。その際にも磁束数が変化しないので、磁石内の電子に影響が出ない、つまり磁石内の電子に影響を与えずに、永久磁石が外部に影響及ぼす磁束の範囲を極力狭めることが出来る。
それにより同磁石の磁極間で発生する磁束数が減少し、磁力を必要とする反対極から磁石電子の安定を求め飛び出す磁束数を増加させることができる。
また磁極間の磁石に沿う側面に凹凸を付け空間を作ることや、その空間に樹脂やゴムなどの非磁性や非通電性の素材で空間を埋める事又は、磁石側面を樹脂などで電気的絶縁しても同じ様な効果が得られる。
それにより磁束の終始点が増加し磁極間を飛ぶ磁束数が減少し、その面の磁力が弱まる事で必要面では外部に飛ぶ磁束が強化される。
すなわち、Ｓ極・Ｎ極のどちらか一方が強い磁極を作る事ができることを特徴とする片極磁石構造
【発明の詳細な説明】
【技術分野】
【０００１】  本考案は、自然界に存在している空気の特性を使い発電して、再度自然界に戻す発電機で、空気中の自由電子を抽出するが自然界で復元し環境を破壊しない。
部品数が極めて少ない発電機の構造体に関するものである。
【背景技術】
【０００２】  化石燃料や原子力を使用し水蒸気を作り回転運動に変え、水力発電では水が重力で落下する力を回転運動に変え、どちらも安定した交流電力を得るため減速機により一定の回転数で発電機を作動させている。
また太陽光発電では日照時間に制限が有り大きな設置場所が必要で、従来の風力発電は風量などで設置場所を選び、強風時には破損する危険性があり騒音も発生。
つまり水蒸気による発電機は直接自然環境を破壊し、従来の風力発電は劣化や強風による破損が伴い、太陽光発電や一部風力発電には広大な敷地が必要となり間接的に自然破壊につながっている。
そして現在すべての発電方法で共通して言えるのは、部品数が多い事と消耗品の点検整備が必要不可欠である。
【先行技術文献】
【特許文献】
【０００３】
【特許文献１】  この発明で使用されている磁場の発生箇所は特許公開平０７−２２７００や特許公開平０５−２８８８７５に記載されている電磁流体発電用磁場発生装置の様に補助磁石は使用しておらず、また磁場発生箇所は特許期限が過ぎた有機物分解装置の磁場発生箇所ですでに使用されている。つまり使用目的が違う構造体で特許期限が過ぎた有機物分解装置と、使用方法が明らかにされていない部分特許で補助磁石を使用している構造体とは、明らかに違い原理が定かでないものであった。
【発明の概要】
【発明が解決しようとする課題】
【０００５】  地球に大気は酸素をはじめとする原子で構成されている。
電子的に見ると電気的エネルギーで満ち溢れているが、電気として取り出す方法が見つかれば産業上に生かされ、無公害で自然界に影響を与えない最も安全なエネルギーである。
【課題を解決するための手段】
【０００６】  地球上の大気である空気は電気や磁気に影響を受けやすく、風や移動する物体の周囲で流れを作るので、その流れを利用して、さまざまな方向に向いている電子を磁石など用いて使い方向を整え、磁石の磁力界を脱した時に磁気を帯びた空気中の電子が異磁極同士結びつくように動作し電子的な摩擦が生じて電気エネルギーを作り、異磁極の結び付きで生じた道を移動する事などを利用して発電する構造体である。【０００７】  請求項２の発明は、着磁前の磁石素材の着磁方向で磁力が不必要な面に平行面が出来るよう凹凸を付ける加工をして着磁に備え、さらに必要に応じ着磁方向側面に凹凸を付け着磁に備え、後に着磁を行う。
又は凹凸加工されていない着磁後の磁石に凹凸になる様に磁石と同様の素材を付ける。
必要に応じ着磁方向側面に樹脂などの電気抵抗と磁気抵抗が少ない素材を空間が出来ない様にして装着する。
上記加工された磁石の磁力が必要な面以外での磁力は弱まり、必要な磁石面が強化される片極磁石である。
【発明の効果】
【０００８】  この発明により、自然界に満ち溢れている電気エネルギーを、自然を損なわず人工的に抽出する事が出来る。
また人工的に移動する電車や自動車、そして船舶や飛行機などで発生している空気の流れで電力が得られる。
【図面の簡単な説明】
【０００９】
【図１】本考案の実施例にあたる本体反応部の断面図である。
【図２】本考案別形態の実施例にあたる本体反応部の断面図である。
【図３】請求項２の実施例にあたる上面図である。
【図４】請求項２の実施例にあたる側面の断面図である。
【図５】請求項２の実施例にあたる上部断面の拡大図である。
【図６】請求項２の実施例にあたる側面部の断面拡大図である。
【発明を実施するための形態】
【００１０】  請求項１に記載の発明で、空気などの流れを利用し空気に磁気を帯びさせ電子方向を揃え、磁石の強制力が無くなった地点で磁気を帯びた空気の異極が結び付き生じた電子的摩擦で発生した電気エネルギーを、銅などの通電物質で吸収し電気の正極とし異極の結びつき始めを電気の負極とし、外部に電源として出力する構造体である。
【００１１】  請求項１に記載の発明で上記と別形態で、空気などの流れを利用し空気に磁気を帯びさせ電子方向を揃え、磁石の強制力が無くなった地点で、磁気を帯びた空気の異極が結び付き生じた電子的摩擦で発生した電気エネルギーを、着磁前の磁気に反応し電気的絶縁物質に引き寄せ、銅などの通電物質で吸収し電気正極とし、着磁前の磁気に反応し電気的絶縁物質で電子を通過させ電気を遮断した物質を間にはさみ、銅などの通電物質を電気負極とし電子を正極に伝え電気を遮断し、外部に電源として出力する構造体である。
【００１２】  請求項２の発明は、着磁前の磁石素材の着磁方向で、磁力が不必要面に平行面が出来るよう凹凸を付ける加工をして着磁に備え、さらに必要に応じ着磁方向側面に凹凸を付け着磁に備え、後に着磁を行う。
又は凹凸加工されていない着磁後の磁石に凹凸になる様に磁石と同様の素材を付ける。
必要に応じ着磁方向側面に樹脂など電気抵抗と磁気抵抗が少ない素材を空間が出来ない様にして装着する。
上記加工された磁石の磁力が必要な面以外での磁力は弱まり、必要な磁石面が強化される片極磁石である。
【実施例】
【００１３】  図１は、空気の流れにより２で空気を吸気し、１の磁石で空気に着磁し、３の区間で電子方向が６の着磁方向に揃えられ、４の区間で磁石の影響が無くなった磁力を帯びた空気は異極同士が結び付き、その電子的摩擦で電気エネルギーが生まれ空気の流れにより５の通気性のある電極に運ばれ電気正極とし外部に出力され、３と４の間付近に１１の通気性のある電気電極を負極として外部に出力、４の区間では異極同士の結び付きによる電子の道が有り３の正極と１１の負極が電子的に結びつき発電を成立させている。【００１４】  図２は、空気の流れにより２で空気を吸気し、１の磁石で空気に着磁し、３の区間で電子方向が６の着磁方向に揃えられ、４の区間で磁石の影響が無くなった磁力を帯びた空気は異極同士が結び付き、その電子的摩擦で電気エネルギーが生まれ空気の流れと、磁化した空気が１０の磁気反応物質に向かう力で５の電極に運ばれ電気正極とし１０の磁気に反応し電気絶縁された着磁前の磁石をはさみ１１を負極とし５と１１を１０ではさみ電子が通過する事で発電を成立させている。【００１５】  図５は請求項２の上部断面の拡大図で、１にあたる永久磁石の表面積を増やし凹凸面をつくり１２のような６の着磁方向を向いている磁束と１３のような磁束により反対極を作り磁気を相殺させ、磁気を必要としない面の磁力を１３のような磁束により低下させ外部の影響を最小限に抑える片極磁石。【００１６】  図６は請求項２の側面部の断面拡大図で、１の磁石に流れる１３の磁束に１の磁石側面に凹凸を付け６の着磁方向をつなぐ１２の磁束を作り１３の磁束と相殺させる事で通常外部に影響を与える１３の磁束を低下させ外部の影響を最小限に抑える片極磁石。
【産業上の利用可能性】
【００１７】  現在使用されている発電機の発電部分は、複雑で部品点数が多く磁気抵抗などで動力に負荷が加わりエネルギーを無駄に消耗していた。
本考案により単純な構造により部品点数が激減するのに伴い消耗品がほとんど存在せず、磁気抵抗も無い。
また銅線を巻かない構造で風が流れる場所又は人工的に空気の流れを作れば、現在使われている発電機に代わり環境に良い低価格の発電機になり、請求項２の発明により磁気の外部に与える影響が低下する事が出来る気体流動発電機
【符号の説明】
【００１７】１    磁石
２    吸気
３    磁気を帯びた空気の区間
４    磁気を帯びた空気が磁石の影響を受けない区間
５    銅やアルミニウムなど通電物質の電気正極
６    着磁方向
７    排気する空気
８    電子の方向
９    樹脂など電気や磁気抵抗の低い素材で出来た容器
１０  着磁前の磁石など磁気抵抗が有り電気抵抗が無い素材又は半導体
１１  銅やアルミニウムなど通電物質の電気負極
１２  磁束方向
１３  着磁方向と逆向きの磁束方向
【図１】
2016082857.tif 000003
【図２】
2016082857.tif 000004
【図３】
2016082857.tif 000005
【図４】
2016082857.tif 000006
【図５】
2016082857.tif 000007
【図６】
2016082857.tif 000008